(57)【要約】【課題】ヒューズが、ヒューズホルダによって安定して位置決め支持されて、ヒューズホルダを接続位置にスライド変位させた際に、ヒューズの端子を暗電流回路側の接続端子にスムーズに接続させることができる、新規なヒューズの断続構造を提供すること。【解決手段】ヒューズホルダ３０は、ヒューズ１４を挟持する一対の壁５６，６０を有し、一対の壁５６，６０は、それぞれがヒューズ１４の対応する面に当接する中央圧接リブ７０を有し、一対の壁５６，６０の一方６０は、中央圧接リブ７０から一側に離隔した位置に、ヒューズ１４の対応する面に当接する第一側部圧接リブ７６を有し、一対の壁５６，６０の他方５６は、中央圧接リブ７０から他側に離隔した位置に、ヒューズ１４の対応する面に当接する第二側部圧接リブ７８を有する、ヒューズの断続構造である。【選択図】図１１
2019201001.tif 000002
【特許請求の範囲】
【請求項１】
電気回路を収容するケースと、
前記電気回路を導通接続するヒューズと、
前記ヒューズを保持するとともに前記ケースに組み付けられるヒューズホルダと、を備えるヒューズの断続構造であって、
前記ヒューズホルダは、前記ヒューズを挟持する一対の壁を有し、
前記一対の壁は、それぞれが前記ヒューズの対応する面に当接する中央圧接リブを有し、
前記一対の壁の一方は、前記中央圧接リブから一側に離隔した位置に、前記ヒューズの対応する面に当接する第一側部圧接リブを有し、
前記一対の壁の他方は、前記中央圧接リブから他側に離隔した位置に、前記ヒューズの対応する面に当接する第二側部圧接リブを有する、ヒューズの断続構造。
【請求項２】
前記一対の壁の一方は、前記中央圧接リブから前記一側に所定距離だけ離隔した位置に前記第一側部圧接リブを有し、
前記一対の壁の他方は、前記中央圧接リブから前記他側に同じ前記所定距離だけ離隔した位置に前記第二側部圧接リブを有している請求項１に記載のヒューズの断続構造。
【請求項３】
前記第二側部圧接リブが前記第一側部圧接リブと同じ突設高さで設けられている請求項１または請求項２に記載のヒューズの断続構造。
【請求項４】
前記ヒューズホルダが、前記ヒューズの頭部のフランジ部に対して下方から当接して前記ヒューズを支持する支持部を有しており、前記中央圧接リブの各上端面によって前記支持部が構成されている請求項１から請求項３のいずれか１項に記載のヒューズの断続構造。
【請求項５】
前記ヒューズホルダが、前記ヒューズの前記頭部の天面を覆って天壁を有しており、前記天壁には、前記天面を外部に露呈する視認窓が貫設されている一方、該視認窓に格子が設けられている請求項４に記載のヒューズの断続構造。
【請求項６】
前記ヒューズホルダの挿通部の下端部の両側面にガイドリブおよびガイド溝の一方が設けられている一方、前記ケースの挿通領域の内周面における両側面に前記ガイドリブおよび前記ガイド溝の他方が設けられている請求項１から請求項５のいずれか１項に記載のヒューズの断続構造。
【請求項７】
前記挿通部の下端面において、幅方向で一方側に変位した位置に下方に向かって開口する凹部および下方に向かって突出する凸部の一方が設けられている一方、前記挿通領域の底面において、前記挿通領域に対して正規配向で挿入された前記挿通部の前記凹部または凸部と対向する位置に、前記凹部および前記凸部の他方が設けられている請求項６に記載のヒューズの断続構造。
【発明の詳細な説明】
【技術分野】
【０００１】
本開示は、自動車の電気接続箱等に設けられた電気回路を断続させるヒューズの断続構造に関する。
【背景技術】
【０００２】
従来から、自動車に搭載されるジャンクションボックスやヒューズボックス等の電気接続箱等には、長期に亘って運転を休止する際のバッテリー消耗防止のために、時計等の常時電力を消費する電気回路（以下、暗電流回路）を切断可能とする、暗電流回路の断続構造が設けられることがある。例えば、特開平７−１６９３８２号公報（特許文献１）には、暗電流回路用ヒューズを保持するヒューズホルダを、暗電流回路を収容するケースに対して挿抜方向にスライド自在に変位させることができ、暗電流回路用ヒューズが暗電流回路に接続される接続位置と、暗電流回路用ヒューズが暗電流回路から切断される切断位置に切り替え可能に保持できるようになっている。
【先行技術文献】
【特許文献】
【０００３】
【特許文献１】特開平７−１６９３８２号公報
【特許文献２】特開平５−３４２９７９号公報
【発明の概要】
【発明が解決しようとする課題】
【０００４】
ところで、特許文献１に開示の暗電流回路用ヒューズの断続構造では、ヒューズホルダが暗電流回路用ヒューズを前後面および左右両側から包囲して安定して支持する構造とされていることから、ケース側において暗電流回路用ヒューズが収容されるヒューズキャビティの全周囲にヒューズホルダの挿通領域を設ける必要がある。
【０００５】
ところが、近年の電気接続箱の小型化・高密度化の要求から、ヒューズキャビティの全周囲にヒューズホルダの挿通領域を設けることが困難な場合があった。そこで、特開平５−３４２９７９号公報（特許文献２）の図１に記載のように、ヒューズキャビティの１つの長辺部側のみにヒューズホルダの挿通領域を設け、平板状のヒューズホルダのヒューズキャビティに対向する面に、暗電流回路用ヒューズの頭部の３面を覆い一側方に開口するヒューズ保持部を設け、ヒューズ保持部の内周面に暗電流回路用ヒューズの頭部のフランジ部を係合支持する挿入溝を設けると共に、一側方の開口部からフランジ部を挿入溝に差し入れて暗電流回路用ヒューズをヒューズ保持部にスライド挿入可能にした構造を採用することが考えられる。
【０００６】
しかしながら、ヒューズ保持部に暗電流回路用ヒューズをスライド挿入可能とするためには、ヒューズ保持部と暗電流回路用ヒューズの間に一定の隙間が必要となる。それゆえ、ヒューズ保持部内で暗電流回路用ヒューズががたつくことが避けられず、寸法公差の重なり等により、ヒューズ保持部に保持された暗電流回路用ヒューズの端子の保持位置がヒューズキャビティに配設された暗電流回路側の接続端子に対して位置ずれするおそれがあった。その結果、ヒューズホルダを接続位置にスライド変位させた際に、暗電流回路用ヒューズの端子が暗電流回路側の接続端子にスムーズに接続されず、作業性の悪化や破損の原因となるおそれがあった。
【０００７】
本開示は、上述の事情を背景に為されたものであって、その解決課題は、ヒューズが、ヒューズホルダによって安定して位置決め支持されて、ヒューズホルダを接続位置にスライド変位させた際に、ヒューズの端子を暗電流回路側の接続端子にスムーズに接続させることができる、新規なヒューズの断続構造を提供することにある。
【課題を解決するための手段】
【０００８】
本開示のヒューズの断続構造は、電気回路を収容するケースと、前記電気回路を導通接続するヒューズと、前記ヒューズを保持するとともに前記ケースに組み付けられるヒューズホルダと、を備えるヒューズの断続構造であって、前記ヒューズホルダは、前記ヒューズを挟持する一対の壁を有し、前記一対の壁は、それぞれが前記ヒューズの対応する面に当接する中央圧接リブを有し、前記一対の壁の一方は、前記中央圧接リブから一側に離隔した位置に、前記ヒューズの対応する面に当接する第一側部圧接リブを有し、前記一対の壁の他方は、前記中央圧接リブから他側に離隔した位置に、前記ヒューズの対応する面に当接する第二側部圧接リブを有する、ヒューズの断続構造である。
【発明の効果】
【０００９】
本開示によれば、ヒューズ保持部内に保持されたヒューズのガタツキを阻止して、安定して保持できる。しかも、ヒューズ保持部へのヒューズのスライド挿入時の挿入力の増大を抑えつつ、接続作業性の向上とヒューズ等の破損防止を図ることができる。
【図面の簡単な説明】
【００１０】
【図１】図１は、本開示の実施形態１に係るヒューズの断続構造を示す分解斜視図である。
【図２】図２は、暗電流回路用ヒューズが暗電流回路から切断された切断位置に配置された状態を示す斜視図である。
【図３】図３は、暗電流回路用ヒューズが暗電流回路に導通接続された接続位置に配置された状態を示す斜視図である。
【図４】図４は、図１に示すケースの平面図である。
【図５】図５は、図１から図３の平面図である。
【図６】図６は、図５のＶＩ−ＶＩ断面拡大図であって、図１の断面を示す図である。
【図７】図７は、図２の断面を示す図であって、図６に相当する図である。
【図８】図８は、図３の断面を示す図であって、図６に相当する図である。
【図９】図９は、図１に示すヒューズホルダの斜視図である。
【図１０】図１０は、図９の背面図である。
【図１１】図１１は、図９の平面図である。
【図１２】図１２は、図９の右側面図である。
【発明を実施するための形態】
【００１１】
＜本開示の実施形態の説明＞
最初に、本開示の実施態様を列記して説明する。
本開示のヒューズの断続構造は、
（１）電気回路を収容するケースと、前記電気回路を導通接続するヒューズと、前記ヒューズを保持するとともに前記ケースに組み付けられるヒューズホルダと、を備えるヒューズの断続構造であって、前記ヒューズホルダは、前記ヒューズを挟持する一対の壁を有し、前記一対の壁は、それぞれが前記ヒューズの対応する面に当接する中央圧接リブを有し、前記一対の壁の一方は、前記中央圧接リブから一側に離隔した位置に、前記ヒューズの対応する面に当接する第一側部圧接リブを有し、前記一対の壁の他方は、前記中央圧接リブから他側に離隔した位置に、前記ヒューズの対応する面に当接する第二側部圧接リブを有する、ヒューズの断続構造である。
【００１２】
本開示のヒューズの断続構造によれば、ヒューズを挟持する一対の壁に、ヒューズの対応する面に当接する中央圧接リブが突設されている。これにより、ヒューズホルダへのヒューズのスライド挿入を可能とするために必要な隙間を、一対の壁から相互に対向して突設した中央圧接リブの間でヒューズを挟持することで吸収することができ、ヒューズホルダ内に保持されたヒューズのガタツキを阻止して、安定して保持することができる。
【００１３】
しかも、第一側部圧接リブと第二側部圧接リブが、中央圧接リブから相互に反対方向に離隔して配設されている。これにより、ヒューズホルダへのヒューズのスライド挿入時の挿入力の増大を抑えつつ、ヒューズホルダの中央位置にヒューズを確実にセンタリングすることが可能となる。その結果、ヒューズホルダを接続位置にスライド変位させた際に、ヒューズの端子を暗電流回路側の接続端子にスムーズに接続することができて、接続作業性の向上とヒューズ等の破損防止を図ることができる。
【００１４】
（２）前記一対の壁の一方は、前記中央圧接リブから前記一側に所定距離だけ離隔した位置に前記第一側部圧接リブを有し、前記一対の壁の他方は、前記中央圧接リブから前記他側に同じ前記所定距離だけ離隔した位置に前記第二側部圧接リブを有していることが好ましい。ヒューズホルダへのヒューズのスライド挿入時の挿入力の増大を抑えつつ、ヒューズホルダの中央位置にヒューズを一層確実にセンタリングすることが可能となるからである。
【００１５】
（３）前記第二側部圧接リブが前記第一側部圧接リブと同じ突設高さで設けられていることが好ましい。ヒューズホルダの中央位置にヒューズを一層確実にセンタリングすることが可能となるからである。
【００１６】
（４）前記ヒューズホルダが、前記ヒューズの頭部のフランジ部に対して下方から当接して前記ヒューズを支持する支持部を有しており、前記中央圧接リブの各上端面によって前記支持部が構成されていることが好ましい。
【００１７】
ヒューズをヒューズ保持部内で鉛直下方から支持する支持部が、一対の中央圧接リブの上端面を利用して構成されていることから、簡素な構成で必要なヒューズの支持を安定して行うことができるからである。
【００１８】
（５）上記（４）において、前記ヒューズホルダが、前記ヒューズの前記頭部の天面を覆って天壁を有しており、前記天壁には、前記天面を外部に露呈する視認窓が貫設されている一方、該視認窓に格子が設けられていることが好ましい。
【００１９】
ヒューズホルダの天壁に視認窓が設けられヒューズの頭部の天面が視認窓を介して外部に露呈されていることから、ヒューズの定格等の確認を容易に行うことができるからである。しかも視認窓には格子が設けられていることから、ヒューズをヒューズホルダの開口窓からスライド挿入する際に、ヒューズの頭部が視認窓に入り込んで傾斜した状態でヒューズホルダに装着されることが未然に防止されているからである。
【００２０】
（６）前記ヒューズホルダの前記挿通部の下端部の両側面にガイドリブおよびガイド溝の一方が設けられている一方、前記ケースの前記挿通領域の内周面における両側面に前記ガイドリブおよび前記ガイド溝の他方が設けられていることが好ましい。
【００２１】
挿通部の両側面にガイドリブおよびガイド溝の一方が設けられている一方、挿通領域の内周面における両側面にガイドリブおよびガイド溝の他方が設けられている。これにより、挿通部のガイドリブまたはガイド溝を本体部装着部のガイド溝またはガイドリブに嵌め入れることにより挿通部を挿通領域にスムーズに嵌め込むことができる。また、ヒューズホルダのヒューズホルダに保持されたヒューズを確実にヒューズキャビティに装着することができるようになっている。
【００２２】
（７）上記（６）において、前記挿通部の下端面において、幅方向で一方側に変位した位置に下方に向かって開口する凹部および下方に向かって突出する凸部の一方が設けられている一方、前記挿通領域の底面において、前記挿通領域に対して正規配向で挿入された前記挿通部の前記凹部または凸部と対向する位置に、前記凹部および前記凸部の他方が設けられていることが好ましい。
【００２３】
挿通部の下端面に幅方向で一方側に変位した位置に、凹部および凸部の一方が設けられる一方、挿通領域の底面の対応部位に凹部および凸部の他方が設けられていることから、例えば、ヒューズホルダの挿通部を誤って裏向きに挿通領域に装着することが有利に防止されているからである。
【００２４】
＜本開示の実施形態の詳細＞
本開示のヒューズの断続構造の具体例を、以下に図面を参照しつつ説明する。なお、本開示は、これらの例示に限定されるものではなく、特許請求の範囲によって示され、特許請求の範囲と均等の意味および範囲内でのすべての変更が含まれることが意図される。
【００２５】
＜実施形態１＞
以下、本開示の実施形態１について、図面を参照しつつ説明する。先ず、図１から図８には、本開示の実施形態１に従うヒューズの断続構造を用いて、ケース１０内の電気回路である暗電流回路１２を導通接続する暗電流回路用ヒューズ１４を断続させる構造が示されている。ケース１０には、内部回路を構成する図示しないバスバーや電線が収容配置されている一方、ケース１０の上下方向の両側から図示しないアッパケースとロアケースが重ね合わされて組み付けられるようになっている。ここで、暗電流回路１２は、内部回路を構成する図示しないバスバーや電線を含んで構成されている。なお、以下の説明において、上方とは、図１から図３中の上方、下方とは、図１から図３中の下方を言い、また前方とは、図４および図５中の左方、後方とは、図４および図５中の右方を言い、さらに長さ方向とは、図４および図５中の左右方向、幅方向とは、図４および図５中の上下方向を言うものとする。
【００２６】
＜ケース１０＞
ケース１０は、図１から図３に示されているように、全体として長手矩形ブロック形状を呈しており、例えばポリプロピレン（ＰＰ）、ポリアミド（ＰＡ）等の絶縁性の合成樹脂により射出成形等によって一体形成されている。ケース１０の上面１８には、図１から図５に示されているように、複数のヒューズ装着部２０やリレー装着部２２が、上方に向かって開口形成されている。ヒューズ装着部２０やリレー装着部２２の底面にはそれぞれ、図示しない端子挿通孔が貫設されており、図示しないバスバーに設けられた接続端子や図示しない電線端末に圧着された接続端子２４（図６から図８参照）が挿通されて配設されるようになっている。そして、ケース１０の上面１８側から、各ヒューズ装着部２０やリレー装着部２２に対して図示しないヒューズやリレーが装着されることにより、ヒューズやリレーから突出するタブ端子が接続端子に接続されて内部回路を構成するバスバーや電線に導通されるようになっているのである。
【００２７】
このような構成とされたケース１０にはまた、図１から図８に示されているように、暗電流回路用ヒューズ１４が収容されるヒューズキャビティ２６が、平面視で略矩形状を有し上方に向かって開口形成されている。かかるヒューズキャビティ２６の底面には、ヒューズ端子挿通孔２８が貫設されており、図示しないバスバーに設けられた接続端子や図示しない電線端末に圧着された接続端子２４が挿通されて配設されるようになっている（図６から図８参照）。ここで、例えば図１から図３に示されているように、暗電流回路用ヒューズ１４は、ヒューズホルダ３０に保持された状態で使用されており、ケース１０に対して暗電流回路用ヒューズ１４の挿抜方向（図１から図３中、上下方向）で変位自在に組み付けられるようになっている。より詳細には、暗電流回路用ヒューズ１４は、暗電流回路１２を導通接続する接続位置と、暗電流回路１２を切断する切断位置に切り替え可能にケース１０に対して保持できるようになっているのである。すなわち、接続位置では、図８および図３に示されているように、ケース１０の上面１８側からヒューズキャビティ２６に対して暗電流回路用ヒューズ１４が装着されることにより、暗電流回路用ヒューズ１４から突出するタブ端子３２が暗電流回路１２の接続端子２４間に挟持され導通接続されるようになっている。一方、切断位置では、図７および図２に示されているように、暗電流回路用ヒューズ１４から突出するタブ端子３２が暗電流回路１２の接続端子２４間から上方に向かって離隔され切断されるようになっているのである。
【００２８】
＜ヒューズホルダ３０＞
ヒューズホルダ３０は、図１および図９から図１２に示されているように、暗電流回路用ヒューズ１４を保持するヒューズ保持部３４と、挿通部３６を有して構成されており、例えばポリプロピレン（ＰＰ）、ポリアミド（ＰＡ）等の絶縁性の合成樹脂により射出成形等によって一体形成されている。ここで、挿通部３６は、図１から図８に示されているように、ケース１０におけるヒューズキャビティ２６の１つの長辺部側（図４中、右側）に設けられ上方に向かって開口形成されている平面視で略矩形状を有する挿通領域３８に対して挿通配置されることにより、暗電流回路用ヒューズ１４を接続位置と切断位置に安定して保持できるようになっている。
【００２９】
より詳細には、挿通部３６は、図１および図９から図１２に示されているように、全体として略矩形平板形状を呈しており、ヒューズキャビティ２６に対向する面である前面４０（図１参照）の先端部側（図１中、上側）には、下方に向かって開口する略矩形箱体形状を有するヒューズ保持部３４が正面視で矩形状の連結部４２を介して外方に向かって突設されている。また、挿通部３６の下端部の両側面には、略矩形断面形状で上下方向に延出するガイドリブ４４が外方に向かって突設されている一方、挿通部３６の上端部の両側面には、かかるガイドリブ４４の上端部から上方に僅かに離隔した位置から片持ち梁状に上方に向かって突出しかつ幅方向（図１０中、左右方向）に対向する略くの字状の弾性撓み片４６が設けられている（図１０参照）。さらに、挿通部３６の下端面４８には、幅方向で一方側（図９中、右側）に変位した位置に板厚方向および下方に向かって開口する略スリット状の凹部５０が設けられている。
【００３０】
＜ヒューズ保持部３４＞
一方、ヒューズ保持部３４は、図１および図９から図１２に示されているように、暗電流回路用ヒューズ１４の頭部５２の前面５４を覆う前壁５６と、後面５８を覆う後壁６０と、第一側面６２を覆う側壁６４を有している一方、第二側面６６側に下方に向かって開口する側面視で略矩形切欠状の開口窓６８を有している。また、ヒューズ保持部３４の前壁５６と後壁６０の内面の幅方向の中央部には、暗電流回路用ヒューズ１４の幅方向の中央部位に当接して、高さ方向の中央部から下端部に向かって延出する一対の中央圧接リブ７０，７０が、暗電流回路用ヒューズ１４の頭部５２の厚さ方向で相互に対向して突設されている（図１１および図１２参照）。しかも、かかる一対の中央圧接リブ７０，７０の上端面７２によって、暗電流回路用ヒューズ１４の頭部５２のフランジ部７４を下方から当接することにより暗電流回路用ヒューズ１４を支持する支持部が構成されている。なお、理解を容易とするために、図１２では、暗電流回路用ヒューズ１４を仮想線で記載している。
【００３１】
加えて、図１１および図１２に示されているように、ヒューズ保持部３４の後壁６０の内面における上下方向の中央部には、暗電流回路用ヒューズ１４の幅方向において中央圧接リブ７０よりも側壁６４側に所定距離だけ離隔した位置に設けられ、暗電流回路用ヒューズ１４の幅方向一端部に当接する第一側部圧接リブ７６が設けられている。さらに、ヒューズ保持部３４の前壁５６の内面における上下方向の中央部には、暗電流回路用ヒューズ１４の幅方向において中央圧接リブ７０よりも開口窓６８側に所定距離だけ離隔した位置に設けられ、暗電流回路用ヒューズ１４の幅方向他端部に当接する第二側部圧接リブ７８が第一側部圧接リブ７６と同じ突設高さで設けられている。
【００３２】
また、図１および図１１に示されているように、ヒューズ保持部３４は、暗電流回路用ヒューズ１４の頭部５２の天面８０を覆う天壁８２を有している。かかる天壁８２には、天面８０を外部に露呈する平面視で略矩形状の視認窓８４が貫設されており、かかる視認窓８４には、視認窓８４を長さ方向（図１１中、上下方向）に二分する格子８６が設けられている。
【００３３】
＜暗電流回路用ヒューズ１４の組み付け工程＞
このような構成とされたヒューズホルダ３０（図９から図１２参照）のヒューズ保持部３４に対して、まず側方に開口された開口窓６８から暗電流回路用ヒューズ１４の頭部５２を装着する。次に、暗電流回路用ヒューズ１４が装着されたヒューズホルダ３０の挿通部３６を、上方からケース１０の挿通領域３８に挿入する。図１に示されているように、挿通領域３８の内周面における両側面の上端部には、ガイド溝８８が設けられていることから、挿通部３６の下端部の両側面に設けられたガイドリブ４４をガイド溝８８に嵌め入れることにより、挿通部３６を挿通領域３８に対してスムーズに嵌め込むことができるようになっている。しかも、一対の弾性撓み片４６，４６の下端部がヒューズキャビティ２６の上方開口部の周縁部に当接することにより、ヒューズ保持部３４に保持された暗電流回路用ヒューズ１４を、切断位置に安定的に保持できるようになっている。そして、ヒューズ保持部３４に保持された暗電流回路用ヒューズ１４をかかる切断位置からさらに下方に向かって押し込むことにより、暗電流回路用ヒューズ１４を接続位置に確実に装着することができるようになっているのである。ここで、挿通部３６の下端面４８には、幅方向で一方側に変位した位置に下方に向かって開口する凹部５０が設けられている一方、図４に示されているように、挿通領域３８の底面には、挿通部３６が挿通領域３８に対して正規配向で挿入された際に挿通部３６の凹部５０と対向する位置に側面視で略矩形状の凸部９０が設けられている。それゆえ、例えば、ヒューズホルダ３０の挿通部３６を誤って裏向きに挿通領域３８に装着することを有利に防止できるようになっているのである。
【００３４】
続いて、本実施形態の作用効果について説明する。本実施形態によれば、ケース１０におけるヒューズキャビティ２６の１つの長辺部側にヒューズホルダ３０の挿通部３６を収容する挿通領域３８を設けられている。さらに、ヒューズキャビティ２６に対向する面である挿通部３６の前面４０の先端部側に、暗電流回路用ヒューズ１４の頭部５２の３面５４，５８，６２を保護して一側方の開口窓６８から暗電流回路用ヒューズ１４がスライド挿入可能なヒューズ保持部３４を設けられていると共に、ヒューズ保持部３４の前壁５６と後壁６０の内面の幅方向の中央部には、暗電流回路用ヒューズ１４の幅方向の中央部位に当接して高さ方向の中央部から下端部に向かって延出する一対の中央圧接リブ７０，７０が、暗電流回路用ヒューズ１４の頭部５２の厚さ方向で相互に対向して突設されている。これにより、ヒューズ保持部３４への暗電流回路用ヒューズ１４のスライド挿入を可能とするために必要な隙間を、ヒューズ保持部３４の前壁５６と後壁６０の内面から相互に対向して突設された一対の中央圧接リブ７０，７０の間で暗電流回路用ヒューズ１４の頭部５２を挟持することで吸収することができるようになっている。それゆえ、ヒューズ保持部３４内に収容保持された暗電流回路用ヒューズ１４のガタツキを阻止して、安定して保持することができるのである。しかも、暗電流回路用ヒューズ１４をヒューズ保持部３４内で下方から支持する支持部が、一対の中央圧接リブ７０，７０の上端面７２を利用して構成されていることから、簡素な構成で必要な暗電流回路用ヒューズ１４の支持を安定して行うことができるようになっているのである。
【００３５】
加えて、ヒューズ保持部３４の後壁６０の内面に設けられた第一側部圧接リブ７６と前壁５６の内面に設けられた第二側部圧接リブ７８が、中央圧接リブ７０からの離隔距離を同じにしつつ、同じ突出高さを有し、かつ暗電流回路用ヒューズ１４の幅方向で中央圧接リブ７０から相互に反対方向に離隔した位置に配設されている。これにより、ヒューズ保持部３４へ暗電流回路用ヒューズ１４をスライド挿入する際の挿入力の増大を抑えつつ、ヒューズ保持部３４の中央位置に暗電流回路用ヒューズ１４を確実に配設することが可能となっている。それゆえ、ヒューズホルダ３０に保持された暗電流回路用ヒューズ１４を接続位置にスライド変位させた際に、暗電流回路用ヒューズ１４のタブ端子３２を暗電流回路１２側の接続端子２４にスムーズに接続することができ、接続作業性の向上とヒューズ等の破損防止を図ることができるようになっている。また、ヒューズ保持部３４の天壁８２には視認窓８４が貫設されており、暗電流回路用ヒューズ１４の頭部５２の天面８０が視認窓８４を介して外部に露呈されていることから、暗電流回路用ヒューズ１４の定格等の確認を容易に行うことができるようになっている。さらに、視認窓８４には格子８６が設けられていることから、暗電流回路用ヒューズ１４の頭部５２が視認窓８４に入り込んで傾斜した状態でヒューズ保持部３４に装着されるといった不具合が未然に防止されている。
【００３６】
＜変形例＞
以上、本開示の具体例として、実施形態１について説明してきたが、本開示はその具体的な記載によって限定されない。本開示の目的を達成できる範囲での変形、改良等は本開示に含まれるものである。例えば次のような実施形態の変形例も本開示の技術的範囲に含まれる。
（１）上記実施形態では、ヒューズ保持部３４の後壁６０の内面に第一側部圧接リブ７６が設けられ、前壁５６の内面に第二側部圧接リブ７８が設けられていたが、設けられる壁部（後壁６０，前壁５６）は逆でもよい。
（２）また、上記実施形態では、挿通部３６の下端部の両側面にガイドリブ４４が設けられている一方、挿通領域３８の両側面の上端部にガイド溝８８が設けられていたが、設けられるガイドリブ４４とガイド溝８８は逆でもよい。
（３）さらに、上記実施形態では、挿通部３６の下端面４８に凹部５０が設けられている一方、挿通領域３８の底面に凸部９０が設けられていたが、挿通部３６の下端面４８に凸部９０が設けられている一方、挿通領域３８の底面に凹部５０が設けられていてもよい。
【符号の説明】
【００３７】
１０  ケース
１２  暗電流回路（電気回路）
１４  暗電流回路用ヒューズ
１８  上面
２０  ヒューズ装着部
２２  リレー装着部
２４  接続端子
２６  ヒューズキャビティ
２８  ヒューズ端子挿通孔
３０  ヒューズホルダ
３２  タブ端子
３４  ヒューズ保持部
３６  挿通部
３８  挿通領域
４０  前面
４２  連結部
４４  ガイドリブ
４６  弾性撓み片
４８  下端面
５０  凹部
５２  頭部
５４  前面
５６  前壁
５８  後面
６０  後壁
６２  第一側面
６４  側壁
６６  第二側面
６８  開口窓
７０  中央圧接リブ
７２  上端面（支持部）
７４  フランジ部
７６  第一側部圧接リブ
７８  第二側部圧接リブ
８０  天面
８２  天壁
８４  視認窓
８６  格子
８８  ガイド溝
９０  凸部
【図１】
2019201001.tif 000003
【図２】
2019201001.tif 000004
【図３】
2019201001.tif 000005
【図４】
2019201001.tif 000006
【図５】
2019201001.tif 000007
【図６】
2019201001.tif 000008
【図７】
2019201001.tif 000009
【図８】
2019201001.tif 000010
【図９】
2019201001.tif 000011
【図１０】
2019201001.tif 000012
【図１１】
2019201001.tif 000013
【図１２】
2019201001.tif 000014